(57)【要約】      （修正有）【課題】シングルバーナーの五徳に対する設置性が向上された新規な調理器を提供する。【解決手段】シングルバーナーの五徳上に設置された状態で加熱調理に用いられる調理器１であって、その裏面に複数条の凹溝２を等間隔の位相差をもって放射状に設ける。【選択図】図１
0003233024.tif 000002
【実用新案登録請求の範囲】
【請求項１】
シングルバーナーの五徳上に設置された状態で加熱調理に用いられる調理器であって、
裏面に複数条の凹溝が等間隔の位相差をもって放射状に設けられてなることを特徴とする調理器。
【請求項２】
請求項１に記載の調理器において、
前記凹溝が９０度の位相差をもって四条設けられてなる調理器。
【請求項３】
請求項１に記載の調理器において、
前記凹部が１２０度の位相差をもって三条設けられてなる調理器。
【請求項４】
請求項１に記載の調理器において、
前記凹部が３０度の位相差をもって十二条設けられてなる調理器。
【考案の詳細な説明】
【技術分野】
【０００１】
本考案は、加熱調理に用いられる調理器に関する。
【背景技術】
【０００２】
キャンプや登山などの野外活動を行うときに食事を用意するにあたっては、食材を加熱調理するための加熱器具が用いられる。
【０００３】
ここで、大勢の人数で行うキャンプやバーベキューでは、火床（炭入れ）と前記火床の上部開口に設けられた金網とからなる加熱器具（いわゆるバーベキューグリル）を用い、前記金網の上に置かれた食材を炭火にて加熱調理することが一般的である。
【０００４】
一方、登山やソロキャンプでは荷物の軽量化のため、シングルバーナーと称される加熱器具が用いられることが多い（例えば、下記特許文献１参照）。図６に示すように、このシングルバーナー５は、バーナー本体５１に五徳５２が取り付けられた携帯式の加熱器具であり、接続されたボンベ（Ｂ）から供給される燃料（例えば、ＬＰＧや灯油）を燃焼させる仕組みとなされている。
【先行技術文献】
【特許文献】
【０００５】
【特許文献１】特開平１１‐３５１５７４
【考案の概要】
【考案が解決しようとする課題】
【０００６】
そして、このシングルバーナー５にて食材を加熱調理するにあたっては、前記五徳５２上に鉄板やフライパンなどの調理器を載せ、前記調理器上で食材を加熱する。
【０００７】
しかしながら屋外調理では、前記シングルバーナー５につき水平が保たれた状態で設置することが困難な場合もあり、又、キャンプ用と称されて販売されている調理器がアルミニウムなどの軽い素材で作られていることも相成って、前記五徳５２上での座りが悪く、その結果、前記五徳５２から前記調理器が滑り落ちる事態が往々にして生じる。
【０００８】
本考案は、前記技術的課題に鑑みて完成されたものであり、シングルバーナーの五徳に対する設置性が向上された新規な調理器を提供することを目的とする。
【課題を解決するための手段】
【０００９】
前記技術的課題を解決する本考案の調理器は、シングルバーナーの五徳上に設置された状態で加熱調理に用いられる調理器であって、裏面に複数条の凹溝が等間隔の位相差をもって放射状に設けられてなることを特徴とする（以下、「本考案調理器」と称する。）。
【００１０】
前記本考案調理器においては、前記凹溝が９０度の位相差をもって四条設けられてなるものが好ましい態様となる。
【００１１】
前記本考案調理器においては、前記凹部が１２０度の位相差をもって三条設けられてなるものが好ましい態様となる。
【００１２】
前記本考案調理器においては、前記凹部が３０度の位相差をもって十二条設けられてなるものが好ましい態様となる。
【考案の効果】
【００１３】
本考案によれば、五徳に対する設置性が向上するため、調理中の安全性や取り扱い性が向上する。
【図面の簡単な説明】
【００１４】
【図１】図１は、本考案調理器の一態様を調理面側から示す斜視図（ａ）と、裏面側から示す斜視図（ｂ）である。
【図２】図２は、前記本考案調理器をシングルバーナーの五徳上に設置する様子を示す斜視図である。
【図３】図３は、本考案調理器の別態様を調理面側から示す斜視図（ａ）と、裏面側から示す斜視図（ｂ）である。
【図４】図４は、本考案調理器の別態様を調理面側から示す斜視図（ａ）と、裏面側から示す斜視図（ｂ）である。
【図５】図５は、本考案調理器の別態様を調理面側から示す斜視図（ａ）と、裏面側から示す斜視図（ｂ）である。
【図６】図６は、シングルバーナーの一態様を示す斜視図である。
【考案を実施するための形態】
【００１５】
以下、本考案を実施するための形態を図面に基づいて説明するが、本考案はこの実施形態に限定されるものではない。
【００１６】
＜本考案調理器１＞
図１に、本考案調理器１の一態様を示す。前記本考案調理器１には、裏面に複数条の「凹溝２」が設けられている。
【００１７】
‐凹溝２‐
前記凹溝２は、複数条、等間隔の位相差をもって放射状に設けられる。本実施形態においては、前記凹溝２につき９０度の位相差をもって四条設けた。なお各凹溝２の配置は、収束点が前記本考案調理器１の重心にて結ばれるように設計されている。又、前記本考案調理器１はアルミニウム鋳造品であり、ダイカスト成型の際に、取手３や調理面にあしらった複数の凸条４と共に前記凹溝２を一体的に設けた。
【００１８】
図２に示すように、前記構成を有する本考案調理器１は、シングルバーナー５の五徳５２上に設置された状態で加熱調理に用いられる。ここで、現在市販されているシングルバーナー５は、前記五徳５２につき四本の爪部５３から構成されてなり、各爪部５３が等間隔の位相差（この場合９０度）をもって放射状に設けられているタイプのものが多い。そのため、このタイプのシングルバーナー５の五徳５２上に前記本考案調理器１を設置するにあたり、前記五徳５２の各爪部５３を前記本考案調理器１の各凹溝２にそれぞれ嵌め合わせれば、前記五徳５２上での座りが良くなり、前記五徳５２に対する設置性が向上する。その結果、調理中の安全性や取り扱い性が向上する。
【００１９】
ところで、本実施形態においては、前記本考案調理器１につき略矩形のアルミニウム鋳造品としているが、前記本考案調理器１の形態や素材は特に限定されない。例えば、鉄や陶器などを素材として前記本考案調理器１を構築しても良く、又、フライパンや鍋などとして利用できる形態としても良い。
【００２０】
又、前記本考案調理器１に設けられる前記凹溝２の数についても特に限定されない。例えば、図３に示すように、前記凹溝２につき１２０度の位相差をもって三条設けられた本考案調理器１は、三本の爪部から五徳が構成されてなり、各爪部が等間隔の位相差（この場合１２０度）をもって放射状に設けられているタイプのシングルバーナーに対して適応することができる。
【００２１】
更に、図４に示すように、前記凹溝２が３０度の位相差をもって十二条設けられた本考案調理器１は、爪部が三本タイプのシングルバーナーにも四本タイプのシングルバーナーにも適応することができる。
【００２２】
加えて、本実施形態においては、前記凹溝２につき各々独立した状態としているが、図５に示すように、前記凹溝２は中央部で交わっていても良い。
【００２３】
なお、本考案は、その精神または主要な特徴から逸脱することなく、他のいろいろな形で実施することができる。そのため、上述の実施形態はあらゆる点で単なる例示にすぎず、限定的に解釈してはならない。本考案の範囲は登録実用新案請求の範囲によって示すものであって、明細書本文には、なんら拘束されない。さらに、登録実用新案請求の範囲の均等範囲に属する変形や変更は、全て本考案の範囲内のものである。
【産業上の利用可能性】
【００２４】
前記本考案調理器は、野外活動において食材を加熱調理するため調理器具として好適に用いられる。
【符号の説明】
【００２５】
１  本考案調理器（調理器）
２  凹溝
３  取手
４  凸条
５  シングルバーナー
５１  バーナー本体
５２  五徳
５３  爪部
Ｂ  ボンベ
【図１】
0003233024.tif 000003
【図２】
0003233024.tif 000004
【図３】
0003233024.tif 000005
【図４】
0003233024.tif 000006
【図５】
0003233024.tif 000007
【図６】
0003233024.tif 000008
【手続補正書】
【提出日】令和3年5月18日(2021.5.18)
【手続補正１】
【補正対象書類名】実用新案登録請求の範囲
【補正対象項目名】全文
【補正方法】変更
【補正の内容】
【実用新案登録請求の範囲】
【請求項１】
シングルバーナーの五徳上に設置された状態で加熱調理に用いられる調理器であって、
裏面に複数条の凹溝が等間隔の位相差をもって放射状に設けられてなることを特徴とする調理器。
【請求項２】
請求項１に記載の調理器において、
前記凹溝が９０度の位相差をもって四条設けられてなる調理器。
【請求項３】
請求項１に記載の調理器において、
前記凹溝が１２０度の位相差をもって三条設けられてなる調理器。
【請求項４】
請求項１に記載の調理器において、
前記凹溝が３０度の位相差をもって十二条設けられてなる調理器。